(57)【要約】 【課題】  非常に簡単な作業で複数の部材を結合、締結することができ、かつ、非常に簡単な作業で当該結合、締結された複数の部材を分離することが可能な結合、締結用の機械要素、部品を提供する。 【解決手段】  結合、締結用機械要素、部品の全体、または一部を特定の溶質によって溶解可能な材質で構成し、結合、締結を解除する場合は、特定の溶質雰囲気にて処理し、当該機械要素、部品の拘束力を消去する。 【選択図】    図１
2006234108.tif 000002
【特許請求の範囲】
【請求項１】
少なくとも２つの部材を結合、締結するための、ねじ、リベット、又は、プッシュピンとリベットとの２部品で構成され、プッシュピンの押し込みによってリベット頂部が開くプッシュリベットなどの結合、締結用の機械要素及び部品であって、 
当該締結部品の全体または一部の材質が、特定の溶質によって溶解可能であることを特徴とする締結部品。 
【請求項２】
前記特定の溶質は水、アルコール、または石油類であることを特徴とする請求項１に記載の締結部品。 
【請求項３】
前記締結部品の材質は、水溶性ナイロン、ポリビニルアルコール、またはポリエチレンオキサイトなどの、水に溶解可能な高分子材料であることを特徴とする請求項１または２に記載の締結部品。 
【請求項４】
電気、電子基板を保持するための基板取り付け用部材であって、   
部材全体、または、少なくとも、基板または他の部材に対して嵌合して拘束する部分の材質は、特定の溶質によって溶解可能であることを特徴とする基板取り付け用部材。 
【請求項５】
前記特定の溶質は水、アルコール、または石油類であることを特徴とする請求項４に記載の基板取り付け用部材。 
【請求項６】
前記締結部品の材質は、水に可溶な水溶性ナイロン、ポリビニルアルコール、またはポリエチレンオキサイドなどの水に溶解可能な高分子材料であることを特徴とする請求項４または５に記載の基板取り付け用部材。 
【発明の詳細な説明】
【技術分野】
【０００１】
本発明は、部材を結合、締結するための締結部品と、電気、電子基板を保持するための基板取り付け用部材に関するものである。 
【背景技術】
【０００２】
現在、部材を結合、締結するためのねじ、リベットなどにおいて、比較的強度を必要としない用途に用いられる締結用機械要素、部品は、軽量化、防錆防食の観点からプラスティック化したものが多く存在する。特に、プラスティックのばね性を活かして複数の部品を結合することができる、例えば、特許文献１にて提案されているプラスティック性の単一部品、またはプッシュピンとリベットの２部品で構成された結合、締結部品は、その作業の簡便性により非常に多く使用されている。 
【０００３】
また、同様な特性を利用して開発されている電子、電気基板を他の部材に取り付けるための基板取り付け用部品も広範囲に使用されている。 
【特許文献１】実開平６−７６７１３号公報
【発明の開示】
【発明が解決しようとする課題】
【０００４】
しかしながら、昨今の自然環境への配慮から、異種の材質からなる複数の部材を結合、締結する場合、リサイクル性を高めるために簡単な操作で結合、締結部品を取り外し、異種材質の部材を分別することへの要求が高まってきている。 
【０００５】
前記プラスティックのばね性を活かして結合、締結せしめる機械要素、部品は取り付け部の形状を取り付けやすく、且つ、取り外しにくいように工夫されており、前述のリサイクル性の要求に相反する特性となっている。 
【０００６】
特に、単一部品で構成されている結合、締結部品は、強大な力や特殊装置を用いての切断、破断などにより拘束を解除せざるを得ない場合が多く、社会における総エネルギー損失を軽減することも目的のひとつである自然環境への配慮に対して、マイナスの要因となってしまう問題があった。 
【０００７】
本発明は上記の問題点を解決するべく成されたものであって、その技術的課題は、非常に簡単な作業により複数の部材を結合、締結せしめる機械要素、部品を、リサイクル時点において非常に簡単な作業により除去することも可能にして、社会における総エネルギー損失を高めることがないようにすることである。 
【課題を解決するための手段】
【０００８】
（１）  上記の技術的課題を解決するために、本発明の請求項１に係る手段は、少なくとも２つの部材を結合、締結するための、ねじ、リベット、又は、プッシュピンとリベットとの２部品で構成され、プッシュピンの押し込みによってリベット頂部が開くプッシュリベットなどの結合、締結用の機械要素及び部品であって、当該締結部品の全体または一部の材質が、特定の溶質によって溶解可能であることを特徴としている。 
【０００９】
（２）  本発明の請求項２に係る手段は、前記特定の溶質は水、アルコール、または石油類であることを特徴としている。 
【００１０】
（３）  本発明の請求項３に係る手段は、前記締結部品の材質は、水溶性ナイロン、ポリビニルアルコール、またはポリエチレンオキサイトなどの、水に溶解可能な高分子材料であることを特徴としている。 
【００１１】
（４）  本発明の請求項４に係る手段は、電気、電子基板を保持するための基板取り付け用部材であって、部材全体、または、少なくとも、基板または他の部材に対して嵌合して拘束する部分の材質は、特定の溶質によって溶解可能であることを特徴としている。 
【００１２】
（５）  本発明の請求項５に係る手段は、前記特定の溶質は水、アルコール、または石油類であることを特徴としている。 
【００１３】
（６）  また、本発明の請求項６に係る手段は、前記締結部品の材質は、水に可溶な水溶性ナイロン、ポリビニルアルコール、またはポリエチレンオキサイドなどの水に溶解可能な高分子材料であることを特徴としている。 
【００１４】
前記（１）、（２）、（３）で述べた手段によれば、当該機械要素、部品で結合、締結した複数の部材は、水、アルコール、または石油といった溶質によって溶解可能な水溶性ナイロン、ポロビニルアルコール、またはポエチレンオキサイドなどの材質で造られているため、これ等溶質雰囲気にて処理することによって、分離、分別回収が可能となる。 
【００１５】
また、前記（４）、（５）、（６）で述べた手段によれば、最近特に利用されることが多い電子、電気基板を筺体等の他の部材に取り付けるための基板取り付け用部材においても、上記（１）、（２）、（３）で述べたのと同等の特徴を発揮して、各溶質雰囲気にて分離、分別回収することを可能にする。 
【発明の効果】
【００１６】
以上述べた次第で、本発明に係る締結部品及び基板取り付け用部材によれば、複数の部材を非常に簡単に結合、締結できるうえ、当該部材または当該部材を用いた機器・装置を回収、廃棄、リサイクルする際には、当該機械要素、部品を溶解可能な溶質雰囲気中で処理することで、非常に簡単且つ低いエネルギーで当該部材を分離、分別することが可能となり、社会における総エネルギー損失の低減につながる利点を発揮することができる。 
【発明を実施するための最良の形態】
【００１７】
以下に本発明の実施の形態に図面と共に説明すると、図１は本発明を実施した機械結合部品の一例を示した断面図であって、図中、１は本発明による結合、締結用のプラスティックリベットの一例であり、２はリベット、２Ｔはリベット本体、３はプッシュピンである。更に図中、３Ａはプッシュピン３の頭部、３Ｂはピン部、３Ｃはピン先端を示す。また、２Ａはリベット本体２Ｔに設けたピン部３Ｂの嵌込穴、２Ｂはリベット本体２Ｔの先端面に開口したスリ割り、２Ｃはフランジ部を示す。 
【００１８】
以上の如く構成したリベット２及びプッシュピン３よりなるプラスティックリベット全体、または、リベット２あるいはプッシュピン３のいずれかを、水溶性プラスティックで成型しておく。本実施例ではリベット２を水溶性プラスティックで成型した場合について述べる。 
【００１９】
図２（Ａ）、（Ｂ）は、本発明によるふたつの部材を結合する例を順番に説明したものであって、４および５は前記リベット２及びプッシュピン３により構成されたプラスティックリベット１により結合される部材Ａおよび部材Ｂである。プッシュピン３をリベット本体２Ｔ内に押し込んで、リベット本体２Ｔの先端のスリ割り２をプッシュピン３が貫通することによって、（Ｂ）の如くリベット本体２Ｔのスリ割部２Ｂを押し広げる。押し広げられたリベット本体２Ｔは部材Ａ（４）の裏面で抜け止め形状を形成すると共に、プラスティックの弾性を利用して部材Ａ（４）と部材Ｂ（５）を密着させて結合することができる。 
【００２０】
図３（Ａ）、（Ｂ）、（Ｃ）は、本発明による結合用プラスティックリベット１で結合せしめた部材ＡおよびＢのリサイクルを円滑に実施するための分離方法を工程順に示している。即ち、プラスティックリベット１により結合された部材Ａ（４）およびＢ（５）を水Ｗを入れた水槽などの容器Ｔに浸漬せしめ、放置あるいは攪拌する。水溶性プラスティックで成型されたリベット２は水溶し消滅する。その結果、（Ｃ）に見られるように部材Ａ（４）およびＢ（５）間の拘束が解かれ両部材は、分離され別々の回収が可能となる。 
【００２１】
本実施例ではリベット２の全体を水溶性プラスティックで成型したが、図４の如くリベット２の抜け止めを構成する部分２Ｐやフランジ部分２Ｒ、または、プッシュピン３の全体、あるいはプッシュピンのピン部分３Ｐ、場合によっては図５に示すようにピンの一部３Ｋを水溶性プラスティックで成型ことも考えられる。 
【００２２】
図６は、本発明による第２の実施例を示したものである。電子基板２１を筺体２２に取り付けるための基板取り付け用部品１１は、その材質であるプラスティックの弾性を利用して上下に設けたフック部１２、１２を電子基板２１および筺体２２の取り付け穴２１Ａ、２２Ａに圧入することで、基板２１を筺体２２に固定する。 
【００２３】
本実施例においても前記第１の実施例と同様に基板取り付け用部品１１の全体、あるいは、フック部１２、１２を水溶性プラスティックで成型することにより、回収リサイクルの際に水に浸漬することで、簡単に基板２１と筺体２２が分離可能となる。 
【００２４】
尚、図６において、１１Ｔ、１１Ｔは基板取り付け用部品１１の上下に設けたフランジ部、３０は基板２１に取り付けた電子部品を示す。 
【図面の簡単な説明】
【００２５】
【図１】本発明の第一実施例に係るプラスティックリベットの断面図。
【図２】（Ａ）、（Ｂ）は図１に示したプラスティックリベットによる２つの部品の結合例を示した断面図。
【図３】（Ａ）、（Ｂ）、（Ｃ）は図２に示した結合された２つの部品が分離されている状態を説明した説明図。
【図４】本発明の第一実施例に係るプラスティックリベットの他の実施例を説明した断面図。
【図５】本発明の第一実施例に係るプラスティックリベットの他の実施例を説明した断面図。
【図６】本発明に係る基板取り付け用部材の構成とその使用例を説明した断面図。
【符号の説明】
【００２６】
１            プラスティックリベット 
２            リベット 
２Ｔ          リベット本体 
３            プッシュピン 
１１          基板取り付け用部品 
１２          フック部 
２１          電子基板 
２２          筺体 
【図１】
2006234108.tif 000003
【図２】
2006234108.tif 000004
【図３】
2006234108.tif 000005
【図４】
2006234108.tif 000006
【図５】
2006234108.tif 000007
【図６】
2006234108.tif 000008